(57)【特許請求の範囲】
【請求項１】
トラックフレームの横一側方に回転自在に設けられた複数の接地転輪と、
前記トラックフレームの前記横一側方に、前記トラックフレームの前後方向に沿った状態で支持されたガイド部材と、
前記ガイド部材に、前記前後方向に沿って摺動自在な状態で支持された張力調整フレームと、
前記張力調整フレームに回転自在に支持され、クローラベルトの前記前後方向における最端部に支持作用する緊張輪と、
前記張力調整フレームを前記ガイド部材に対して摺動調節する張力調整機構と、
前記トラックフレームの前記横一側方に支持されたガイド取り付け部と、
前記ガイド取り付け部に支持され、前記クローラベルトに外れ止め作用するクローラガイドと、が備えられ、
前記緊張輪と前記複数の接地転輪のうちの前記前後方向における最端側に位置する端部接地転輪とは、前記張力調整フレームが前記ガイド部材に対して摺動する際に側面視で重複可能であり、
前記ガイド部材のうちの前記緊張輪側の端部は、前記前後方向において、前記端部接地転輪よりも前記緊張輪から遠い位置で、前記ガイド取り付け部に連結された仲介部材によって支持され、
前記ガイド部材のうちの前記緊張輪とは反対側の端部は、前記ガイド部材のうちの前記緊張輪側の端部とは独立して前記トラックフレームに支持され、
前記仲介部材は、前記張力調整フレームを摺動自在に支持しているクローラ走行装置のクローラ張力調整装置。
【請求項２】
前記仲介部材は、前記ガイド部材のうちの前記緊張輪側の端部を下方から支持している請求項１に記載のクローラ走行装置のクローラ張力調整装置。
【請求項３】
前記ガイド部材のうちの前記緊張輪側の端部は、前記端部接地転輪と前記複数の接地転輪のうちの前記端部接地転輪と隣り合う隣接接地転輪との間の位置で支持されている請求項１または２に記載のクローラ走行装置のクローラ張力調整装置。
【請求項４】
前記ガイド部材のうちの前記緊張輪とは反対側の端部は、前記複数の接地転輪のうちの前記端部接地転輪と隣り合う隣接接地転輪よりも前記緊張輪から遠い位置で前記トラックフレームに支持されている請求項１から３の何れか一項に記載のクローラ走行装置のクローラ張力調整装置。
【請求項５】
前記ガイド部材のうちの前記緊張輪とは反対側の端部は、前記トラックフレームに連結された支持アームによって支持されている請求項１から４の何れか一項に記載のクローラ走行装置のクローラ張力調整装置。
【請求項６】
前記支持アームは、前記ガイド部材のうちの前記緊張輪とは反対側の端部を下方から支持している請求項５に記載のクローラ走行装置のクローラ張力調整装置。
【請求項７】
前記支持アームは、前記トラックフレームの前記横一側方に連結されている請求項５または６に記載のクローラ走行装置のクローラ張力調整装置。
【請求項８】
上下方向において、前記支持アームは、前記ガイド部材のうちの前記緊張輪側の端部よりも低い位置で、前記ガイド部材のうちの前記緊張輪とは反対側の端部を支持している請求項５から７の何れか一項に記載のクローラ走行装置のクローラ張力調整装置。
【請求項９】
前記ガイド部材は、前記仲介部材と、前記トラックフレームに連結された支持アームと、前記トラックフレームに連結された第二支持アームと、によって前記トラックフレームに支持されている請求項１から８の何れか一項に記載のクローラ走行装置のクローラ張力調整装置。
【請求項１０】
前記第二支持アームは、前記ガイド部材を側方から支持している請求項９に記載のクローラ走行装置のクローラ張力調整装置。
【請求項１１】
前記第二支持アームは、前記仲介部材と前記支持アームとの間の位置で前記ガイド部材を支持している請求項９または１０に記載のクローラ走行装置のクローラ張力調整装置。
【請求項１２】
前記第二支持アームは、前記トラックフレームの上面に連結されている請求項９から１１の何れか一項に記載のクローラ走行装置のクローラ張力調整装置。
【請求項１３】
前記ガイド部材は、少なくとも前記緊張輪側の端部において、下方に開放された断面形状に形成され、
前記仲介部材の一端は、前記ガイド取り付け部に連結され、
前記仲介部材の他端は、前記ガイド部材のうちの前記緊張輪側の端部に下方から連結されて、前記ガイド部材のうちの前記緊張輪側の端部の底部を構成すると共に、前記ガイド部材のうちの前記緊張輪側の端部を支持している請求項１から１２の何れか一項に記載のクローラ走行装置のクローラ張力調整装置。
【請求項１４】
前記仲介部材は、前記ガイド部材のうちの前記緊張輪側の端部よりも前記緊張輪の側に延びている請求項１２または１３に記載のクローラ走行装置のクローラ張力調整装置。
【発明の詳細な説明】
【技術分野】
【０００１】
本発明は、トラックフレームの横一側方に回転自在に設けられた複数の接地転輪と、前記トラックフレームの前記横一側方に、前記トラックフレームの前後方向に沿った状態で支持されたガイド部材と、前記ガイド部材に、前記前後方向に沿って摺動自在な状態で支持された張力調整フレームと、前記張力調整フレームに回転自在に支持され、クローラベルトの前記前後方向における最端部に支持作用する緊張輪と、前記張力調整フレームを前記ガイド部材に対して摺動調節する張力調整機構と、が備えられたクローラ走行装置のクローラ張力調整装置に関する。
【背景技術】
【０００２】
上記したクローラ張力調整装置として、特許文献１に記載されたものを先に開発した。
特許文献１に記載されたクローラ張力調整装置では、トラックフレームの後端に前後スライド可能に挿入したブラケットと、このブラケットに遊転自在に軸支されたテンション輪とを備えている。
テンション輪は、ブラケットを操作軸の回動によってネジ送り移動させることでクローラベルトのテンション調節を行う。
【０００３】
特許文献１に記載されたクローラ張力調整装置では、ブラケットから横一側方に延出した支軸を備え、この支軸の延出端側にテンション輪を支持させることにより、テンション輪をクローラベルトが適切に巻回されるようトラックフレームの接地用転輪が位置する横一側方に位置させている。
【先行技術文献】
【特許文献】
【０００４】
【特許文献１】特開２００５−３３５６１４号公報（段落〔００１９〕、図３）
【発明の概要】
【発明が解決しようとする課題】
【０００５】
本発明の目的は、好適なクローラ走行装置のクローラ張力調整装置を提供することにある。
【課題を解決するための手段】
【０００６】
本発明の特徴は、
トラックフレームの横一側方に回転自在に設けられた複数の接地転輪と、
前記トラックフレームの前記横一側方に、前記トラックフレームの前後方向に沿った状態で支持されたガイド部材と、
前記ガイド部材に、前記前後方向に沿って摺動自在な状態で支持された張力調整フレームと、
前記張力調整フレームに回転自在に支持され、クローラベルトの前記前後方向における最端部に支持作用する緊張輪と、
前記張力調整フレームを前記ガイド部材に対して摺動調節する張力調整機構と、
前記トラックフレームの前記横一側方に支持されたガイド取り付け部と、
前記ガイド取り付け部に支持され、前記クローラベルトに外れ止め作用するクローラガイドと、が備えられ、
前記緊張輪と前記複数の接地転輪のうちの前記前後方向における最端側に位置する端部接地転輪とは、前記張力調整フレームが前記ガイド部材に対して摺動する際に側面視で重複可能であり、
前記ガイド部材のうちの前記緊張輪側の端部は、前記前後方向において、前記端部接地転輪よりも前記緊張輪から遠い位置で、前記ガイド取り付け部に連結された仲介部材によって支持され、
前記ガイド部材のうちの前記緊張輪とは反対側の端部は、前記ガイド部材のうちの前記緊張輪側の端部とは独立して前記トラックフレームに支持され、
前記仲介部材は、前記張力調整フレームを摺動自在に支持している点にある。
【０００７】
【０００８】
さらに、本発明において、前記仲介部材は、前記ガイド部材のうちの前記緊張輪側の端部を下方から支持していると好適である。
【０００９】
さらに、本発明においては、前記ガイド部材のうちの前記緊張輪側の端部は、前記端部接地転輪と前記複数の接地転輪のうちの前記端部接地転輪と隣り合う隣接接地転輪との間の位置で支持されていると好適である。
【００１０】
さらに、本発明において、  前記ガイド部材のうちの前記緊張輪とは反対側の端部は、前記複数の接地転輪のうちの前記端部接地転輪と隣り合う隣接接地転輪よりも前記緊張輪から遠い位置で前記トラックフレームに支持されていると好適である。
【００１１】
さらに、本発明において、前記ガイド部材のうちの前記緊張輪とは反対側の端部は、前記トラックフレームに連結された支持アームによって支持されていると好適である。
【００１２】
さらに、本発明において、前記支持アームは、前記ガイド部材のうちの前記緊張輪とは反対側の端部を下方から支持していると好適である。
【００１３】
さらに、本発明において、前記支持アームは、前記トラックフレームの前記横一側方に連結されていると好適である。
【００１４】
さらに、本発明において、上下方向において、前記支持アームは、前記ガイド部材のうちの前記緊張輪側の端部よりも低い位置で、前記ガイド部材のうちの前記緊張輪とは反対側の端部を支持していると好適である。
【００１５】
さらに、本発明において、前記ガイド部材は、前記仲介部材と、前記トラックフレームに連結された支持アームと、前記トラックフレームに連結された第二支持アームと、によって前記トラックフレームに支持されていると好適である。
【００１６】
さらに、本発明において、前記第二支持アームは、前記ガイド部材を側方から支持していると好適である。
【００１７】
さらに、本発明において、前記第二支持アームは、前記仲介部材と前記支持アームとの間の位置で前記ガイド部材を支持していると好適である。
さらに、本発明において、前記第二支持アームは、前記トラックフレームの上面に連結されていると好適である。
さらに、本発明において、前記ガイド部材は、少なくとも前記緊張輪側の端部において、下方に開放された断面形状に形成され、前記仲介部材の一端は、前記ガイド取り付け部に連結され、前記仲介部材の他端は、前記ガイド部材のうちの前記緊張輪側の端部に下方から連結されて、前記ガイド部材のうちの前記緊張輪側の端部の底部を構成すると共に、前記ガイド部材のうちの前記緊張輪側の端部を支持していると好適である。
さらに、本発明において、前記仲介部材は、前記ガイド部材のうちの前記緊張輪側の端部よりも前記緊張輪の側に延びていると好適である。
【図面の簡単な説明】
【００１８】
【図１】作業機の側面図
【図２】クローラ走行装置の側面図
【図３】クローラ走行装置の平面図
【図４】クローラ走行装置後部の側面図
【図５】クローラ張力調整装置の縦断平面図
【図６】クローラ張力調整装置の縦断側面図
【図７】クローガイド取り付け構造の平面図
【図８】クローガイド取り付け部と仲介部材の斜視図
【図９】輪体支持部の平面図
【図１０】輪体支持部の側面図
【発明を実施するための形態】
【００１９】
以下、本発明の実施例を図面に基づいて説明する。
図１は、本発明の実施例に係るクローラ張力調整装置Ａが備えられた作業機の側面図である。この図に示すように、この作業機は、左右一対のクローラ走行装置１，１によって自走するように構成され、かつ運転座席２が装備された運転部を備えた走行機体と、この走行機体の機体フレーム３の前部に連結された刈取り部１０とを備え、前記機体フレーム３の後部側に機体横方向に並べて設けた脱穀装置４と穀粒タンク５とを備えている。
【００２０】
この作業機は、稲や麦などを収穫する。
すなわち、刈取り部１０は、前記機体フレーム３の前部に上下揺動自在に連結された刈取り部フレーム１１を備え、この刈取り部フレーム１１が油圧シリンダ１２によって上下に揺動操作されることにより、刈取り部１０の前端部に機体横方向に並んで位置する分草具１３が地面近くに下降した下降作業状態と、前記分草具１３が地面から高く上昇した上昇非作業状態とに昇降する。
【００２１】
刈取り部１０を下降作業状態にして走行機体を走行させると、刈取り部１０は、刈取り対象の植立穀稈を各分草具１３によって機体横方向に並ぶ複数の引起し装置１４のうちの分草具１３に対応した引起し装置１４に導入して引起し処理し、各引起し装置１４によって引起し処理される植立穀稈を一つのバリカン形の刈取り装置１５によって刈取り処理し、刈取り装置１５からの刈取り穀稈を供給装置１６によって脱穀装置４の脱穀フィードチェーン４ａの始端部に供給する。
【００２２】
脱穀装置４は、脱穀フィードチェーン４ａによって刈取り穀稈の株元側を機体後方向きに挟持搬送し、その刈取り穀稈の穂先側を扱室（図示せず）に供給して脱穀処理する。穀粒タンク５は、脱穀装置４から搬送された脱穀粒を回収して貯留していく。
【００２３】
図２は、前記左側のクローラ走行装置１の側面図である。図３は、前記左側のクローラ走行装置１の平面図である。右側のクローラ走行装置１は、左側のクローラ走行装置１と同じ構成を備えており、右側のクローラ走行装置１の図示を省略する。これらの図に示すように、クローラ走行装置１は、前記機体フレーム３に前後一対の支持アーム２０，２１を介して連結しているトラックフレーム２２と、このトラックフレーム２２の前方上方でミッションケース（図示せず）を介して前記機体フレーム３に支持させた駆動回転自在なクローラ駆動輪２３と、前記トラックフレーム２２の走行機体横外側に位置する方の横側方にトラックフレーム前後方向に並べてトラックフレーム２２に支持させた八個の遊転自在な接地転輪２４，２５，２６と、前記八個の接地転輪２４，２５，２６のうちの最もトラックフレーム後端側に位置する接地転輪２６（本発明の「端部接地転輪」に相当）の後方上方に位置させてトラックフレーム２２の後端部に設けた緊張輪２７と、前記トラックフレーム２２の上方で前記機体フレーム３に支持させた前後一対の遊転自在なキャリヤローラ２８，２８とを備え、前記クローラ駆動輪２３と前記八個の接地転輪２４，２５，２６と前記緊張輪２７と前記前後一対のキャリヤローラ２８，２８とにわたって巻回されたゴム製のクローラベルト２９を備えて構成してある。
【００２４】
前記前側の支持アーム２０は、この支持アーム２０の基部を機体フレーム３に回転自在に連結している回転支軸２０ａと、この回転支軸２０ａの前記支持アーム２０が連結している側とは反対側の端部に一体回転自在に設けた連動アーム３０とを介して油圧シリンダ３１のシリンダロッド３１ａに連動されている。
すなわち、前側の支持アーム２０は、前記油圧シリンダ３１によって前記回転支軸２０ａの軸芯まわりに機体フレーム３に対して上下に揺動操作されてトラックフレーム２２の前端側を機体フレーム３に対して昇降操作する。
【００２５】
前記後側の支持アーム２１は、この支持アーム２１の基部を機体フレーム３に回転自在に連結している回転支軸２１ａと、この回転支軸２１ａの前記支持アーム２１が連結している側とは反対側の端部に一体回転自在に設けた連動アーム３２とを介して油圧シリンダ３３のシリンダロッド３３ａに連動されている。後側の支持アーム２１の遊端側は、キャンセルリンク３４を介してトラックフレーム２２の後端側に連結されている。
すなわち、後側の支持アーム２１は、前記油圧シリンダ３３によって前記回転支軸２１ａの軸芯まわりに機体フレーム３に対して上下に揺動操作され、キャンセルリンク３４を介してトラックフレーム２２の後端側を機体フレーム３に対して昇降操作する。
【００２６】
つまり、左右のクローラ走行装置１，１における前後一対の支持アーム２０，２１が揺動操作されることにより、走行機体が地面に対して横方向や前後方向に傾斜する。
すなわち、左右のクローラ走行装置１の一方における前後一対の支持アーム２０，２１が共に上昇あるいは下降揺動するように、かつ、前後一対の支持アーム２０，２１の上昇あるいは下降ストロークが同一になるように揺動操作されることにより、左右のクローラ走行装置１の一方におけるトラックフレーム２２が機体フレーム３に対して平行に上昇あるいは下降し、走行機体の横方向での一端が他端側のクローラ走行装置１による接地点を揺動支点にして地面に対して昇降する。
【００２７】
左右のクローラ走行装置１における前側の支持アーム２０と後側の支持アーム２１との一方が上昇あるいは下降揺動するように、かつ左右のクローラ走行装置１における支持アーム２０，２１の上昇あるいは下降ストロークが同一になるように揺動操作されることにより、左右のクローラ走行装置１におけるトラックフレーム２２が前端側での接地点を揺動支点にして機体フレーム３に対して上下に揺動するか、あるいは後端側での接地点を揺動支点にして機体フレーム３に対して上下に揺動し、走行機体の前後方向での一端が他端側を揺動支点にして地面に対して昇降する。
【００２８】
次に、前記八個の接地転輪２４，２５，２６のうちの最もトラックフレーム後端側に位置する接地転輪２６を最後接地転輪２６と称し、前記八個の接地転輪２４，２５，２６のうちの前記最後接地転輪２６よりも前方に最後接地転輪２６と隣り合って位置する接地転輪２５を後接地転輪２５（本発明の「隣接接地転輪」に相当）と称して説明する。
【００２９】
前記後接地転輪２５と前記最後接地転輪２６とは、トラックフレーム２２に遊転のみ自在に支持されており、トラックフレーム２２に対して昇降不能になっている。
【００３０】
前記八個の接地転輪２４，２５，２６のうちの前記最後接地転輪２６と前記後接地転輪２５とを除く接地転輪２４は、隣り合う二個の接地転輪２４，２４が一つの転輪グループを形成するようグループ分けされ、各転輪グループの二個の接地転輪２４，２４が纏めて一つの天秤連結部材４０によってトラックフレーム２２に連結される状態でトラックフレーム２２に支持されている。
【００３１】
図３、図４に示すように、前記した各天秤連結部材４０は、これの中間部に位置した連結軸４１を介してトラックフレーム２２に回転自在に支持されている。各転輪グループを形成している二個の接地転輪２４，２４の一方の接地転輪２４は、前記天秤連結部材４０の前記連結軸４１よりも前端側に位置する部位に遊転自在に支持され、他方の接地転輪２４は、前記天秤連結部材４０の前記連結軸４１よりも後端側に位置する部位に遊転自在に支持されている。
【００３２】
これにより、八個の接地転輪２４，２５，２６のうちの前記最後接地転輪２６と前記後接地転輪２５とを除く接地転輪２４であって、前記各転輪グループを形成している二個の接地転輪２４，２４は、天秤連結部材４０によってトラックフレーム２２に取り付けられており、天秤連結部材４０の揺動により、前記連結軸４１の軸芯を揺動支点にしてトラックフレーム２２に対して背反的に昇降する。
【００３３】
クローラ走行装置１は、前記各転輪グループに対応させて設けたクローラガイド４２と、前記後接地転輪２５と前記最後接地転輪２６とに対応させて設けたクローラガイド４３とを備えている。
【００３４】
図２、図４に示すように、前記各転輪グループに対応する前記クローラガイド４２は、転輪グループの一方の接地転輪２４の左右一対の案内輪体部の間と、他方の接地転輪２４の左右一対の案内輪体部の間とにわった位置する棒状のガイド本体４２ａと、このガイド本体４２ａを前記天秤連結部材４０に連結する連結杆４２ｂとを備えて構成してあり、ガイド本体４２ａによってクローラベルト２９の左右の芯金突起２９ａ，２９ａに係止作用してクローラベルト２９の外れ止めを行う。各転輪グループに対応するクローラガイド４２は、前記ガイド本体４２ａと前記連結杆４２ｂとを前記天秤連結部材４０と共に一体鋳造することによって作製してある。
【００３５】
図４に示すように、前記最後接地転輪２６と前記後接地転輪２５とに対応する前記クローラガイド４３は、後接地転輪２５の左右一対の案内輪体部の間と最後接地転輪２６の左右一対の案内輪体部の間とにわった位置する棒状のガイド本体４３ａと、このガイド本体４３ａをトラックフレーム２２が備えるガイド取り付け部４４に連結する連結杆４３ｂとを備えて構成してあり、ガイド本体４３ａによってクローラベルト２９の左右の芯金突起２９ａに係止作用してクローラベルト２９の外れ止めを行う。このクローラガイド４３は、前記ガイド本体４３ａと前記連結杆４３ｂとを一体鋳造することによって作製してある。
【００３６】
トラックフレーム２２の前記ガイド取り付け部４４は、トラックフレーム２２の横側面に金属ブロックを付設して構成してある。このガイド取り付け部４４は、ガイド取り付け部４４の端部に三本の連結ボルト４５をトラックフレーム２２の上下方向と前後方向とに三角配置に並べて装着されることにより、前記クローラガイド４３の連結杆４３ｂを支持する。
【００３７】
クローラ走行装置１は、トラックフレーム２２の後部に設けた本発明の実施例に係るクローラ張力調整装置Ａを備えている。
【００３８】
図３は、本実施例に係るクローラ張力調整装置Ａの平面視での構造を示している。図４は、本実施例に係るクローラ張力調整装置Ａの側面視での構造を示している。図５は、本実施例に係るクローラ張力調整装置Ａの縦断平面図である。図６は、本実施例に係るクローラ張力調整装置Ａの縦断側面図である。これらの図に示すように、本実施例に係るクローラ張力調整装置Ａは、前記緊張輪２７と、この緊張輪２７を輪体支持部５０で遊転自在に支持する張力調整フレーム５１と、この張力調整フレーム５１を支持するガイド部材５２と、前記輪体支持部５０の横側部に突設した係止部５３ａと前記ガイド部材５２に設けた支持部５４とにわたって取り付けた張力調整軸５５とを備えて構成してある。
【００３９】
前記張力調整フレーム５１は、前記輪体支持部５０を備える他、この輪体支持部５０の基部に一端側が連結された角形鋼管材で成るフレーム本体５１ａを備えて構成してある。
【００４０】
図９は、前記輪体支持部５０の平面図である。図１０は、前記輪体支持部５０の側面図である。これらの図に示すように、前記輪体支持部５０は一対の軸支孔５６ａ，５６ａを緊張輪２７の両横側に分離して位置する配置で備える二又形状になった軸支フォーク５６を備えて構成してある。図５に示すように、輪体支持部５０は、前記軸支フォーク５６によって緊張輪２７の支軸２７ａを緊張輪２７の両横側で支持する。すなわち、緊張輪２７を両横側で支持する。
【００４１】
前記ガイド部材５２は、トラックフレーム２２の前記各接地転輪２４，２５，２６が位置する横一側方と同じ横一側方に配置して、トラックフレーム２２の前後一対の支持アーム２２ａ，２２ａに支持させてあり、張力調整フレーム５１をトラックフレーム２２の横一側方の適切な位置、すなわち緊張輪２７にクローラベルト２９が適切に巻回される位置に配置している。前側の支持アーム２２ａが、本発明の「支持アーム」に相当し、後側の支持アーム２２ａが本発明の「第二支持アーム」に相当する。
【００４２】
図６，７，８に示すように、前記ガイド部材５２の前記張力調整フレーム５１が突出している側の端部と、前記張力調整フレーム５１とは、トラックフレーム２２の前記ガイド取り付け部４４の上端面で成る支持部４４ａに下端部が載った仲介部材５７を介して前記支持部４４ａによって下方から受け止め支持されている。前記仲介部材５７は、ガイド部材５２と張力調整フレーム５１との下面に一側面が受け止め作用する上側板金部材５７ａと、この上側板金部材５７ａと前記支持部４４ａとの間に介在する下側板金部材５７ｂとによって構成してある。
【００４３】
前記張力調整フレーム５１は、これのフレーム本体５１ａが前記ガイド部材５２に摺動自在に内嵌していることにより、ガイド部材５２によって摺動自在に支持され、ガイド部材５２の内側面によって摺動案内されてトラックフレーム２２の前後方向に摺動する。張力調整フレーム５１は、ガイド部材５２の取り付け向きによって摺動方向が設定されることにより、緊張輪２７がガイド部材５２から離れるほどトラックフレーム２２に対して上昇する状態で摺動する。すなわち、張力調整フレーム５１は、クローラベルト２９の緊張輪２７よりも上側に位置してトラックフレーム２２に沿った向きになっている部位の張力と、緊張輪２７よりも下側に位置してトラックフレーム２２に対して傾斜した向きになっている部位の張力とによって緊張輪２７に掛かる荷重の方向に近い方向に沿って摺動する。
【００４４】
前記張力調整軸５５は、ガイド部材５２の前記支持部５４に設けた調整軸挿通孔のメネジに螺合したネジ軸によって構成してあり、回転操作されると、ガイド部材５２に対してトラックフレーム前後方向に移動して輪体支持部５０の前記係止部５３ａに押しあるいは引き作用することにより、張力調整フレーム５１をガイド部材５２に対して摺動調節する。この張力調整軸５５は、張力調整フレーム５１に対してトラックフレーム２２が位置する側とは反対側に配置されており、クローラ走行装置１の走行機体横外側からトラックフレーム２２による操作障害を受けないで操作できる。
【００４５】
要するに、クローラ張力調整装置Ａは、張力調整軸５５が回転操作されることにより、この張力調整軸５５によって張力調整フレーム５１をガイド部材５２と仲介部材５７とに摺動案内させながら移動調節する。このとき、張力調整フレーム５１は、クローラベルト２９の張力によって緊張輪２７に掛かる荷重の方向に近い方向に沿って摺動し、張力調整フレーム５１とガイド部材５２との間にこじれが発生しにくい状態で摺動する。すると、緊張輪２７がトラックフレーム２２に対してその後方側に移動調節されてクローラベルト２９をより走行装置後方側に押圧することにより、クローラベルト２９の緊張力を増大側に調整する。あるいは、緊張輪２７がトラックフレーム２２に対して前方側に移動調節されてクローラベルト２９の押圧を減少させることにより、クローラベルト２９の緊張力を減少側に調整する。
【００４６】
図９，１０に示すように、前記輪体支持部５０は、前記軸支フォーク５６と前記係止部５３ａとを備える他、軸支フォーク５６の外周側に設けた上下一対の補強リブ５８，５８と、前記軸支フォーク５６に対して前記係止部５３ａが位置する側とは反対側に設けた第二係止部５３ｂとを備えている。前記軸支フォーク５６と前記係止部５３ａと前記補強リブ５８と前記第二係止部５３ｂとは、ロストワックス鋳造によって一体鋳造されている。
【００４７】
前記第二係止部５３ｂは、張力調整フレーム５１が右側のクローラ走行装置１のクローラ張力調整装置Ａに装備された際、張力調整軸５５を取り付けるものである。
【００４８】
〔別実施例〕
上記した実施例に替え、張力調整フレーム５１をグリスシリンダによって摺動調節する構成を採用しても、本発明の目的を達成することができる。従って、張力調整軸５５、グリスシリンダなどを総称して張力調整機構５５と呼称する。
【符号の説明】
【００４９】
２２                    トラックフレーム
２２ａ                  支持アーム，第二支持アーム
２４，２５，２６        複数の接地転輪
２５                    後接地転輪（隣接接地転輪）
２６                    最後接地転輪（端部接地転輪）
２７                    緊張輪
２９                    クローラベルト
４３                    クローラガイド
４４                    ガイド取り付け部
５１                    張力調整フレーム
５２                    ガイド部材
５５                    張力調整機構
５７                    仲介部材
【図１】
0005513557.tif 000002
【図２】
0005513557.tif 000003
【図３】
0005513557.tif 000004
【図４】
0005513557.tif 000005
【図５】
0005513557.tif 000006
【図６】
0005513557.tif 000007
【図７】
0005513557.tif 000008
【図８】
0005513557.tif 000009
【図９】
0005513557.tif 000010
【図１０】
0005513557.tif 000011